(57)【要約】      （修正有）【課題】人が留守の時でも時間を問わず確実に受け取ることができる簡易型宅配ボックスを提供する。【解決手段】蓋部Ｂ１と側部Ｂ２と底部と蓋部の外面に設けた透明ポケットｃＰと内部に設けた内ポケットからなり、側部がマチを有して上下に折り畳み可能な簡易型宅配ボックスであり、蓋部の周囲と側部の上端部周囲に２組の引手ｈ付きスライダーを備えたファスナーが開閉自在に取付けられ、２組の引手に南京錠のツルを挿入するための貫通孔が設けてなると共に、対向側面の上部に、軸受を水平方向に設け、軸受には軸が回転自在に挿入され、軸とコの字形状の枠が結合し、側部Ｂ２のマチを伸ばして蓋部が最上部に位置するようにし、かつ、コの字形状の枠を９０°回転させて、先端部が底部に接触して、蓋と側面の重量を支えて自立できる。【選択図】図９
0003213859.tif 000002
【実用新案登録請求の範囲】
【請求項１】
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、かつ、コの字形状の枠ｆを９０°回転させて、コの字形状の枠ｆの先端部が底部Ｂ３に接触して、蓋１と側面２の重量を支えて自立できることを特徴とする簡易型宅配ボックス１００。
【請求項２】
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、コの字形状の枠ｆの先端部が底部Ｂ３に接触した状態から、側面２を上下に折り畳むことができることを特徴とする請求項１に記載された簡易型宅配ボックス１００。
【請求項３】
上記ファスナーＦが、テープＴの裏面側に務歯ｚｔを設けてなり、テープＴの表面が防水加工してなることを特徴とする請求項１〜２の何れかに記載された簡易型宅配ボックス１００。
【請求項４】
両端に輪っかｒを有するワイヤーｗにより係留させておくために用いるワイヤー固定具ＷＦを外側に設けてなることを特徴とする請求項１〜３の何れかに記載された簡易型宅配ボックス１００。
【請求項５】
透明ポケットｃＰは、ＰＯＰシートを入れるためのポケットであることを特徴とする請求項１〜４の何れかに記載された簡易型宅配ボックス１００。
【請求項６】
内ポケットｉＰは、印鑑と受領票控えを入れるためのポケットであることを特徴とする請求項１〜５の何れかに記載された簡易型宅配ボックス１００。
【請求項７】
請求項１〜６の何れかに記載された簡易型宅配ボックス１００と、両端が輪っかｒを有するワイヤーｗとダイヤル錠Ｄとの組合せ。
【請求項８】
請求項１〜６の何れかに記載された簡易型宅配ボックス１００と、２組の引手ｈに設けられた貫通孔Ｈに南京錠Ｎのツルｔを挿入することができる南京錠Ｎとの組合せ。
【請求項９】
請求項１〜６の何れかに記載された簡易型宅配ボックス１００と、両端が輪っかｒを有するワイヤーｗとダイヤル錠Ｄと、２組の引手ｈに設けられた貫通孔Ｈに南京錠Ｎのツルｔを挿入することができる南京錠Ｎの組合せ。
【考案の詳細な説明】
【技術分野】
【０００１】
本考案は、簡易型宅配ボックスに関する。
【背景技術】
【０００２】
宅配ボックスとは、宅配便などの受取人が留守のときにそれらの受取を可能にするロッカー型または箱型設備である。近年、インターネット通販の興隆にともない需要が高まっている。導入初期には、マンションの共用設備などで導入が進んだが、最近ではオートロック式ではないマンションやアパート、戸建て向けに後付け可能な簡易型のもの（以下、「簡易型宅配ボックス」という。）も売り出されている。
そして、下記条件を満足する簡易型宅配ボックスの出現が望まれていた。
（１）荷受取人が留守の時でも安心して受け取ることができる。
（２）荷受取人が配達業者と対面しなくても受け取ることができる。
（３）荷受取人が荷物を確実に受け取ることができて、再配達依頼をする必要がない、あるいは、店頭で荷物を受け取る必要がない。
（４）配達業者にとっても、荷受取人にとっても、荷物を配達する、受け取る時間を心配する必要がない。
【０００３】
従来の簡易型宅配ボックスは、内側に布でくるんだ厚紙を底板として用い安定を図っているものの、側面（垂直面）にはそのような安定のための機能はないために自立することができず、荷物が入る前は、簡易型宅配ボックスは、折り畳んだ状態で玄関前に置いておかれた。
（１）このため、宅配業者が簡易型宅配ボックスを見落として不在票を置いて行くことが多く、宅配ボックスとしての意味を十分に果たせないという従来技術の欠点があった。
（２）従来技術品は、素材こそ防水性があるものを使用しているものの、ファスナーの務歯が露出しているため、降雨量によっては雨水の浸入を十分に防ぐことができないという従来技術の欠点があった。
（３）簡易型宅配ボックス（荷物が入った簡易型宅配ボックス）が盗難に遭ったり、強風等による意図しない移動をするという従来技術の欠点があった。
【先行技術文献】
【特許文献】
【０００４】
本願考案に係る簡易型宅配ボックスについて、ＦＩ、キーワード検索を行ったところ、本件考案（各請求項に記載された考案）に近い考案等記載文献は、発見されませんでしたので、特許文献の記載は省略する。
考案者は、かかる従来技術の欠点に鑑み鋭意研究した結果、本考案を完成させた。
【考案の概要】
【考案が解決しようとする課題】
【０００５】
○本考案が解決しようとする第１課題
本考案が解決しようとする第１課題は、
人が留守の時でも時間を問わず確実に受け取ることができる簡易型宅配ボックスを提供することである。
○本考案が解決しようとする第２課題
本考案が解決しようとする第２課題は、
宅配業者が簡易型宅配ボックスを見落として不在票を置いて行くことがなく、確実に簡易型宅配ボックスを認識して配達できる簡易型宅配ボックスを提供することである。
○本考案が解決しようとする第３課題
本考案が解決しようとする第３課題は、
ファスナーの務歯が露出しているため、降雨量によっては雨水の浸入を十分に防ぐことができないという従来技術の欠点を解消した簡易型宅配ボックス１００を提供することである。
○本考案が解決しようとする第４課題
本考案が解決しようとする第４課題は、
簡易型宅配ボックス（荷物が入った簡易型宅配ボックス）が盗難に遭ったり、強風等による意図しない移動をすることのない簡易型宅配ボックス１００を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○蓋部Ｂ１とは、簡易型宅配ボックスの口を覆って塞ぐ部分をいう。蓋部Ｂ１の１辺は側部Ｂ２の１辺と回転自在にピン結合されてなり、蓋部Ｂ１の他の３辺は、側部Ｂ２の３辺とファスナーで開閉自在に接合されてなる。
○側部Ｂ２とは、簡易型宅配ボックスの蓋部と底部を除く４つの横の平面部分をいう。
○底部Ｂ３とは、簡易型宅配ボックスの一番下の平面部分をいう。
○引手ｈとは、ファスナーＦのスライダーｓｌを開閉するとき、手をかけて引くために取り付ける金具をいう。２組の引手ｈには、南京錠Ｎのツルｔを挿入するための貫通孔Ｈが設けている。
○内ポケットｉＰとは、簡易型宅配ボックス１００の内部（例えば、側面部２の内側）に設けてなるポケットをいう。
○簡易型宅配ボックス１００とは、人が留守の時でも時間を問わず確実に受け取ることができる簡易なボックスをいう。
本発明に係る、簡易型宅配ボックス１００は、蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能なボックスである。
○スライダーｓｌとは、ファスナーＦを開閉するときに、務歯を噛み合せたりする役目をする部分をいう。
○ファスナーＦとは、務歯とテープと引手付きスライダーで構成され、務歯（むし）と呼ばれる歯をテープに並べて取り付けたものの間でスライダーを動かすことで、左右の務歯同士が順に組み合わさってゆき、自在に開閉できる構造になっている。
開いている状態からスライダーを引っ張って動かせば、動かした位置まで閉まり、逆に、閉まっている状態からスライダーを引っ張って動かせば、動かした位置まで開く仕掛けになっている。
○南京錠Ｎとは、巾着（きんちやく）形をした錠前をいう。巾着錠、西洋錠ともいう。
南京錠Ｎは、本体、ツル（掛け金）、錠前機構から構成される。
○ツルｔとは、Ｕ字形の金属で、施錠対象物（２組の引手ｈの貫通孔）に引っ掛ける。開錠した状態では、ツルｔの一方が本体と離れてスライドしたり回転したりする。
○貫通孔Ｈとは、南京錠Ｎのツルｔを挿入して施錠するために設けられた引手ｈを貫通した孔である。
○軸受ｂｒとは、回転運動をするコの字形状の枠ｆに結合してなるａｘを支える部分をいう。
○コの字形状の枠ｆとは、Ａ部材と２つのＢ部材から構成された、「コ」の字の形状をした枠部材をいう。
２つのＢ部材の先端部分には、Ａ部材と平行に、２つの軸ａｘ（又は、１つの軸ａｘ）が取付けられてなる。
○軸ａｘとは、コの字形状の枠ｆに取付けられてなり、回転運動を行うコの字形状の枠ｆの中心軸を形成する部分をいう。軸ａｘは軸受ｂｒに支えられて回転する。
○務歯（むし）ｚｔとは、ファスナーＦにおいて、テープに取り付けられた歯をいい、スライダーｓｌが移動することで、互いにかみ合ったり離れたりする部分をいう。エレメントともいう。
○テープＴとは、務歯またはエレメントと呼ばれる歯を並べて取り付けるためのテープ状の基材をいう。
○ワイヤーｗとは、ワイヤーｗをドアレバーや防犯柵等に巻き付け、簡易型宅配ボックス１００が盗難に遭ったり、強風等による意図しない移動をしたりしないよう固定するワイヤーロープをいう。
○ワイヤー固定具ＷＦとは、ワイヤーｗをドアレバーや防犯柵等に巻き付け、簡易型宅配ボックス１００が盗難に遭ったり、強風等による意図しない移動をしたりしないよう固定する固定具をいう。
○輪っかｒとは、ワイヤーｗの両端に取付けた輪をいう。
ワイヤーｗをドアレバーや防犯柵等に巻き付け、２組の輪っかｒとワイヤー固定具ＷＦの貫通孔Ｈをダイヤル錠Ｄのツルｔを挿入することにより、簡易型宅配ボックス１００を移動をしたりしないよう固定することができる。
○ダイヤル錠Ｄとは、鍵の代わりに数字や文字が並んだホイール（ダイヤル）が複数並び、それを正しく組み合わせることで開錠する錠前をいう。
ダイヤル錠Ｄは、本体、ツル（掛け金）、ダイヤル機構、錠前機構から構成される。
＜本考案に係る簡易型宅配ボックス１００の使用方法＞
１．簡易型宅配ボックス１００の設置（荷受人が行う作業）
（１）簡易型宅配ボックス１００を組み立て、蓋部Ｂ１の透明ポケットｃＰにＰＯＰシート（宅配業者に対し、当該箱が宅配ボックスである旨と、使用方法を記述したもの）を入れる。
（２）ワイヤーｗをドアレバーや防犯柵等に巻き付け、簡易型宅配ボックス１００をダイヤル錠Ｄで固定する。
（３）蓋部Ｂ１を開け、内ポケットｉＰに印鑑（認印）を入れる。（重要な印鑑は使わない。）
（４）蓋部Ｂ１を閉じ、ファスナーＦの引手の貫通孔Ｈに解錠したまま南京錠Ｎを付けて、設置作業は完了する。
南京錠Ｎの鍵は、簡易型宅配ボックス１００とは別に保管することが必要である。南京錠Ｎの鍵は紛失しないことが大事である。
一軒家・マンション・アパートどこでも簡易型宅配ボックス１００を設置することができる。
簡易型宅配ボックス１００等の様々な場所に固定可能であることから、ワイヤーｗとダイヤル錠Ｄにより盗難防止を図ることができる。
２．荷物を配達（業者側が行う作業）
（１）蓋部Ｂ１を開け、荷物を入れる。内ポケットｉＰに入った印鑑（認印）で捺印する。
（２）印鑑（認印）と受領票控えを内側ポケットに入れる。
（３）蓋部Ｂ１を閉じ、南京錠Ｎを施錠して、配達作業が完了する。
３．荷物の受け取り（荷受人の作業）
（１）荷受人が持っている鍵で、南京錠Ｎを解錠する。受領票控えと荷物を確認して、荷物の受け取り作業は完了する。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、かつ、コの字形状の枠ｆを９０°回転させて、コの字形状の枠ｆの先端部が底部Ｂ３に接触して、蓋１と側面２の重量を支えて自立できることを特徴とする簡易型宅配ボックス１００である。
○第２の考案（請求項２に記載の考案）
上記の課題を解決するための第２の考案（請求項２に記載の考案）は、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、コの字形状の枠ｆの先端部が底部Ｂ３に接触した状態から、側面２を上下に折り畳むことができることを特徴とする請求項１に記載された簡易型宅配ボックス１００である。
○第３の考案（請求項３に記載の考案）
上記の課題を解決するための第３の考案（請求項３に記載の考案）は、
上記ファスナーＦが、テープＴの裏面側に務歯ｚｔを設けてなり、テープＴの表面が防水加工してなることを特徴とする請求項１〜２の何れかに記載された簡易型宅配ボックス１００である。
○第４の考案（請求項４に記載の考案）
上記の課題を解決するための第４の考案（請求項４に記載の考案）は、
両端に輪っかｒを有するワイヤーｗにより係留させておくために用いるワイヤー固定具ＷＦを外側に設けてなることを特徴とする請求項１〜３の何れかに記載された簡易型宅配ボックス１００である。
○第５の考案（請求項５に記載の考案）
上記の課題を解決するための第５の考案（請求項５に記載の考案）は、
透明ポケットｃＰは、ＰＯＰシートを入れるためのポケットであることを特徴とする請求項１〜４の何れかに記載された簡易型宅配ボックス１００である。
○第６の考案（請求項６に記載の考案）
上記の課題を解決するための第６の考案（請求項６に記載の考案）は、
内ポケットｉＰは、印鑑と受領票控えを入れるためのポケットであることを特徴とする請求項１〜５の何れかに記載された簡易型宅配ボックス１００である。
○第７の考案（請求項７に記載の考案）
上記の課題を解決するための第７の考案（請求項７に記載の考案）は、
請求項１〜６の何れかに記載された簡易型宅配ボックス１００と、両端が輪っかｒを有するワイヤーｗとダイヤル錠Ｄとの組合せである。
○第８の考案（請求項８に記載の考案）
上記の課題を解決するための第８の考案（請求項８に記載の考案）は、
請求項１〜６の何れかに記載された簡易型宅配ボックス１００と、２組の引手ｈに設けられた貫通孔Ｈに南京錠Ｎのツルｔを挿入することができる南京錠Ｎとの組合せである。
○第９の考案（請求項９に記載の考案）
上記の課題を解決するための第９の考案（請求項９に記載の考案）は、
請求項１〜６の何れかに記載された簡易型宅配ボックス１００と、両端が輪っかｒを有するワイヤーｗとダイヤル錠Ｄと、２組の引手ｈに設けられた貫通孔Ｈに南京錠Ｎのツルｔを挿入することができる南京錠Ｎの組合せを特徴とする請求項１〜８の何れかに記載された簡易型宅配ボックス１００である。
【考案の効果】
【０００７】
本考案に係る簡易型宅配ボックス１００は、上記のような特徴的構成要件から構成され、特徴的構成要件に応じた、以下のような本願考案特有の効果を奏する。
また、上記の各考案に応じた、上記のような特徴的構成要件から構成された簡易型宅配ボックスによれば、本願考案の課題を十分解消することができた。
○第１の考案の効果
第１の考案によれば、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、かつ、コの字形状の枠ｆを９０°回転させて、コの字形状の枠ｆの先端部が底部Ｂ３に接触して、蓋１と側面２の重量を支えて自立できることという特徴的な構成要件により、本考案が解決しようとする第１課題〜第４課題を達成することができ、当業者予測不可能な顕著な効果を奏することができた。
○第２の考案の効果
第２の考案によれば、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、コの字形状の枠ｆの先端部が底部Ｂ３に接触した状態から、側面２を上下に折り畳むことができることという特徴的な構成要件により、本考案が解決しようとする第１課題〜第４課題を達成することができ、当業者予測不可能な顕著な効果を奏することができた。
○第３の考案の効果
第３の考案によれば、
上記ファスナーＦが、テープＴの裏面側に務歯ｚｔを設けてなり、テープＴの表面が防水加工してなることという特徴的な構成要件により、本考案が解決しようとする第１課題〜第４課題を達成することができ、当業者予測不可能な顕著な効果を奏することができた。
○第４の考案の効果
第４の考案によれば、
両端に輪っかｒを有するワイヤーｗにより係留させておくために用いるワイヤー固定具ＷＦを外側に設けてなることという特徴的な構成要件により、本考案が解決しようとする第１課題〜第４課題を達成することができ、当業者予測不可能な顕著な効果を奏することができた。
○第５の考案の効果
第５の考案によれば、
透明ポケットｃＰは、ＰＯＰシートを入れるためのポケットであることという特徴的な構成要件により、本考案が解決しようとする第１課題〜第４課題を達成することができ、当業者予測不可能な顕著な効果を奏することができた。
○第６の考案の効果
第６の考案によれば、
内ポケットｉＰは、印鑑と受領票控えを入れるためのポケットであることという特徴的な構成要件により、本考案が解決しようとする第１課題〜第４課題を達成することができ、当業者予測不可能な顕著な効果を奏することができた。
○第７の考案の効果
第７の考案によれば、
請求項１〜６の何れかに記載された簡易型宅配ボックス１００と、両端が輪っかｒを有するワイヤーｗとダイヤル錠Ｄとの組合せという特徴的な構成要件により、本考案が解決しようとする第１課題〜第４課題を達成することができ、当業者予測不可能な顕著な効果を奏することができた。
○第８の考案の効果
第８の考案によれば、
請求項１〜６の何れかに記載された簡易型宅配ボックス１００と、２組の引手ｈに設けられた貫通孔Ｈに南京錠Ｎのツルｔを挿入することができる南京錠Ｎとの組合せという特徴的な構成要件により、本考案が解決しようとする第１課題〜第４課題を達成することができ、当業者予測不可能な顕著な効果を奏することができた。
○第９の考案の効果
第９の考案によれば、
請求項１〜６の何れかに記載された簡易型宅配ボックス１００と、両端が輪っかｒを有するワイヤーｗとダイヤル錠Ｄと、２組の引手ｈに設けられた貫通孔Ｈに南京錠Ｎのツルｔを挿入することができる南京錠Ｎの組合せという特徴的な構成要件により、本考案が解決しようとする第１課題〜第４課題を達成することができ、当業者予測不可能な顕著な効果を奏することができた。
【考案を実施するための最良の形態】
【０００８】
以下、本考案に係る、簡易型宅配ボックスに関する最良の実施形態について、図面を参照しながら説明する。
［図１］図１は、本発明に係る、簡易型宅配ボックス１００（高さＨ＝Ｈｍａｘの場合）の斜視図である。
［図２］図２は、本発明に係る、簡易型宅配ボックス１００（高さＨ＝Ｈｍａｘの場合）の正面図である。
［図３］図３は、本発明に係る、簡易型宅配ボックス１００（高さＨ＝Ｈｍａｘの場合）の右側面図である。
［図４］図４は、本発明に係る、簡易型宅配ボックス１００（高さＨ＝Ｈｍａｘの場合）の背面図である。
［図５］図５は、本発明に係る、簡易型宅配ボックス１００（高さＨ＝Ｈｍａｘの場合）のは左側面図である。
［図６］図６は、本発明に係る、簡易型宅配ボックス１００（高さＨ＝Ｈｍａｘの場合）の平面図である。
［図７］図７は、本発明に係る、簡易型宅配ボックス１００（高さＨ＝Ｈｍａｘの場合）の底面図である。
［図８］図８は、本発明に係る、簡易型宅配ボックス１００を折り畳む状態を示す斜視図（高さＨ＝Ｈｍａｘの状態）である。
［図９］図９は、本発明に係る、簡易型宅配ボックス１００を折り畳む状態を示す斜視図（高さＨ＝Ｈの状態）である。ここに、Ｈｍｉｎ＜Ｈ＜Ｈｍａｘ     
［図１０］図１０は、本発明に係る、簡易型宅配ボックス１００を折り畳む状態を示す斜視図（高さＨ＝Ｈｍｉｎの状態）である。
［図１１］図１１は、本発明に係る、簡易型宅配ボックス１００を折り畳む状態を示す正面図（高さＨ＝Ｈの状態）である。ここに、Ｈｍｉｎ＜Ｈ＜Ｈｍａｘ 
［図１２］図１２は、本発明に係る、簡易型宅配ボックス１００を折り畳む状態を示す右側面図（高さＨ＝Ｈの状態）である。
［図１３］図１３は、本発明に係る、簡易型宅配ボックス１００を折り畳む状態を示す背面図（高さＨ＝Ｈの状態）である。
［図１４］図１４は、本発明に係る、簡易型宅配ボックス１００を折り畳む状態を示す左側面図（高さＨ＝Ｈの状態）である。
［図１５］図１５は、本発明に係る、簡易型宅配ボックス１００と、両端が輪っかｒを有するワイヤーｗとダイヤル錠Ｄとの組合せを示す図である。
［図１６］図１６は、蓋部Ｂ１を閉じ、ファスナーＦの引手の貫通孔Ｈに解錠したまま南京錠Ｎを付けて、設置作業が完了した状態を示す図である。
［図１７］図１７は、蓋部Ｂ１を閉じ、南京錠Ｎを施錠して、配達作業が完了した状態を示す図である。
［図１８］図１８は、側部Ｂ２がマチを有して上下に折り畳み可能な簡易型宅配ボックス１００の折り方を示す図である。
［図１９］図１９は、対向側面２の上部に、軸受ｂｒを水平方向に設けてなり、当該軸ａｘとコの字形状の枠ｆとが結合してなり、当該軸受ｂｒには軸ａｘが回転自在に挿入されてなることを示す図（その１）である。
［図２０］図２０は、対向側面２の上部に、軸受ｂｒを水平方向に設けてなり、当該軸ａｘとコの字形状の枠ｆとが結合してなり、当該軸受ｂｒには軸ａｘが回転自在に挿入されてなることを示す図（その２）である。
［図２１］図２１は、防水ファスナーの構成を示す図である。
［図２２］図２２（Ａ）は、軸受ｂｒには、コの字形状の枠ｆと結合してなるａｘが回転自在に挿入されてなる状態を表す図である。角度θは、水平に対する軸ａｘの回転角度を表す。
図２２（Ｂ）は、コの字形状の枠ｆと結合してなるａｘを示す図である。
［図２３］図２３（Ａ）は、南京錠の構成を示す図である。図２３（Ｂ）は、ダイヤル鍵の構成を示す図である。図２３（ｃ）は、両端に輪っかｒを有するワイヤーｗの構成を示す図である。
以下、本考案に係る、簡易型宅配ボックスについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、かつ、コの字形状の枠ｆを９０°回転させて、コの字形状の枠ｆの先端部が底部Ｂ３に接触して、蓋１と側面２の重量を支えて自立できることを特徴とする簡易型宅配ボックス１００が開示されている。
○第１の考案の効果
第１の考案によれば、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、かつ、コの字形状の枠ｆを９０°回転させて、コの字形状の枠ｆの先端部が底部Ｂ３に接触して、蓋１と側面２の重量を支えて自立できることという特徴的な構成要件により、本考案が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、コの字形状の枠ｆの先端部が底部Ｂ３に接触した状態から、側面２を上下に折り畳むことができることを特徴とする請求項１に記載された簡易型宅配ボックス１００が開示されている。
○第２の考案の効果
第２の考案によれば、
蓋部Ｂ１と側部Ｂ２と底部Ｂ３と蓋部Ｂ１の外面に設けてなる透明ポケットｃＰと簡易型宅配ボックス１００の内部に設けてなる内ポケットｉＰからなり、側部Ｂ２がマチを有して上下に折り畳み可能な簡易型宅配ボックス１００において、蓋部Ｂ１の周囲と側部Ｂ２の上端部周囲に２組の引手ｈ付きスライダーｓｌを備えたファスナーＦが開閉自在に取付けられてなり、２組の引手ｈに南京錠Ｎのツルｔを挿入するための貫通孔Ｈが設けてなると共に、対向側面２の上部に、軸受ｂｒを水平方向に設けてなり、当該軸ａｘとコの字形状の枠ｆが結合してなり、当該軸受ｂｒには軸ａｘが回転自在に挿入されてなると共に、側部Ｂ２のマチを伸ばして蓋部Ｂ１が最上部に位置するようにし、コの字形状の枠ｆの先端部が底部Ｂ３に接触した状態から、側面２を上下に折り畳むことができることという特徴的な構成要件により、本考案が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
上記ファスナーＦが、テープＴの裏面側に務歯ｚｔを設けてなり、テープＴの表面が防水加工してなることを特徴とする請求項１〜２の何れかに記載された簡易型宅配ボックス１００が開示されている。
○第３の考案の効果
第３の考案によれば、
上記ファスナーＦが、テープＴの裏面側に務歯ｚｔを設けてなり、テープＴの表面が防水加工してなることという特徴的な構成要件により、本考案が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
両端に輪っかｒを有するワイヤーｗにより係留させておくために用いるワイヤー固定具ＷＦを外側に設けてなることを特徴とする請求項１〜３の何れかに記載された簡易型宅配ボックス１００が開示されている。
○第４の考案の効果
第４の考案によれば、
両端に輪っかｒを有するワイヤーｗにより係留させておくために用いるワイヤー固定具ＷＦを外側に設けてなることという特徴的な構成要件により、本考案が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
透明ポケットｃＰは、ＰＯＰシートを入れるためのポケットであることを特徴とする請求項１〜４の何れかに記載された簡易型宅配ボックス１００が開示されている。
○第５の考案の効果
第５の考案によれば、
透明ポケットｃＰは、ＰＯＰシートを入れるためのポケットであることという特徴的な構成要件により、本考案が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
内ポケットｉＰは、印鑑と受領票控えを入れるためのポケットであることを特徴とする請求項１〜５の何れかに記載された簡易型宅配ボックス１００が開示されている。
○第６の考案の効果
第６の考案によれば、
内ポケットｉＰは、印鑑と受領票控えを入れるためのポケットであることという特徴的な構成要件により、本考案が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
請求項１〜６の何れかに記載された簡易型宅配ボックス１００と、両端が輪っかｒを有するワイヤーｗとダイヤル錠Ｄとの組合せが開示されている。
○第７の考案の効果
第７の考案によれば、
請求項１〜６の何れかに記載された簡易型宅配ボックス１００と、両端が輪っかｒを有するワイヤーｗとダイヤル錠Ｄとの組合せという特徴的な構成要件により、本考案が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
請求項１〜６の何れかに記載された簡易型宅配ボックス１００と、２組の引手ｈに設けられた貫通孔Ｈに南京錠Ｎのツルｔを挿入することができる南京錠Ｎとの組合せが開示されている。
○第８の考案の効果
第８の考案によれば、
請求項１〜６の何れかに記載された簡易型宅配ボックス１００と、２組の引手ｈに設けられた貫通孔Ｈに南京錠Ｎのツルｔを挿入することができる南京錠Ｎとの組合せという特徴的な構成要件により、本考案が解決しようとする第１課題〜第４課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の簡易型宅配ボックス１００において、
請求項１〜６の何れかに記載された簡易型宅配ボックス１００と、両端が輪っかｒを有するワイヤーｗとダイヤル錠Ｄと、２組の引手ｈに設けられた貫通孔Ｈに南京錠Ｎのツルｔを挿入することができる南京錠Ｎの組合せが開示されている。
○第９の考案の効果
第９の考案によれば、
請求項１〜６の何れかに記載された簡易型宅配ボックス１００と、両端が輪っかｒを有するワイヤーｗとダイヤル錠Ｄと、２組の引手ｈに設けられた貫通孔Ｈに南京錠Ｎのツルｔを挿入することができる南京錠Ｎの組合せという特徴的な構成要件により、本考案が解決しようとする第１課題〜第４課題を達成することができ、当業者予測不可能な顕著な効果を奏することができた。
【図面の簡単な説明】
【０００９】
【図１】図１は、本発明に係る、簡易型宅配ボックス１００（高さＨ＝Ｈｍａｘの場合）の斜視図である。
【図２】図２は、本発明に係る、簡易型宅配ボックス１００（高さＨ＝Ｈｍａｘの場合）の正面図である。
【図３】図３は、本発明に係る、簡易型宅配ボックス１００（高さＨ＝Ｈｍａｘの場合）の右側面図である。
【図４】図４は、本発明に係る、簡易型宅配ボックス１００（高さＨ＝Ｈｍａｘの場合）の背面図である。
【図５】図５は、本発明に係る、簡易型宅配ボックス１００（高さＨ＝Ｈｍａｘの場合）のは左側面図である。
【図６】図６は、本発明に係る、簡易型宅配ボックス１００（高さＨ＝Ｈｍａｘの場合）の平面図である。
【図７】図７は、本発明に係る、簡易型宅配ボックス１００（高さＨ＝Ｈｍａｘの場合）の底面図である。
【図８】図８は、本発明に係る、簡易型宅配ボックス１００を折り畳む状態を示す斜視図（高さＨ＝Ｈｍａｘの状態）である。
【図９】図９は、本発明に係る、簡易型宅配ボックス１００を折り畳む状態を示す斜視図（高さＨ＝Ｈの状態）である。ここに、Ｈｍｉｎ＜Ｈ＜Ｈｍａｘ
【図１０】図１０は、本発明に係る、簡易型宅配ボックス１００を折り畳む状態を示す斜視図（高さＨ＝Ｈｍｉｎの状態）である。
【図１１】図１１は、本発明に係る、簡易型宅配ボックス１００を折り畳む状態を示す正面図（高さＨ＝Ｈの状態）である。ここに、Ｈｍｉｎ＜Ｈ＜Ｈｍａｘ
【図１２】図１２は、本発明に係る、簡易型宅配ボックス１００を折り畳む状態を示す右側面図（高さＨ＝Ｈの状態）である。
【図１３】図１３は、本発明に係る、簡易型宅配ボックス１００を折り畳む状態を示す背面図（高さＨ＝Ｈの状態）である。
【図１４】図１４は、本発明に係る、簡易型宅配ボックス１００を折り畳む状態を示す左側面図（高さＨ＝Ｈの状態）である。
【図１５】図１５は、本発明に係る、簡易型宅配ボックス１００と、両端が輪っかｒを有するワイヤーｗとダイヤル錠Ｄとの組合せを示す図である。
【図１６】図１６は、蓋部Ｂ１を閉じ、ファスナーＦの引手の貫通孔Ｈに解錠したまま南京錠Ｎを付けて、設置作業が完了した状態を示す図である。
【図１７】図１７は、蓋部Ｂ１を閉じ、南京錠Ｎを施錠して、配達作業が完了した状態を示す図である。
【図１８】図１８は、側部Ｂ２がマチを有して上下に折り畳み可能な簡易型宅配ボックス１００の折り方を示す図である。
【図１９】図１９は、対向側面２の上部に、軸受ｂｒを水平方向に設けてなり、当該軸ａｘとコの字形状の枠ｆが結合してなり、当該軸受ｂｒには軸ａｘが回転自在に挿入されてなることを示す図（その１）である。
【図２０】図２０は、対向側面２の上部に、軸受ｂｒを水平方向に設けてなり、当該軸ａｘとコの字形状の枠ｆが結合してなり、当該軸受ｂｒには軸ａｘが回転自在に挿入されてなることを示す図（その２）である。
【図２１】図２１は、防水ファスナーの構成を示す図である。
【図２２】図２２（Ａ）は、軸受ｂｒにはコの字形状の枠ｆと結合してなるａｘが回転自在に挿入されてなる状態を表す図である。角度θは、水平に対する軸ａｘの回転角度を表す。図２２（Ｂ）は、コの字形状の枠ｆと結合してなるａｘを示す図である。
【図２３】図２３（Ａ）は、南京錠の構成を示す図である。図２３（Ｂ）は、ダイヤル鍵の構成を示す図である。図２３（ｃ）は、両端に輪っかｒを有するワイヤーｗの構成を示す図である。
【符号の説明】
【００１０】
Ｂ１……蓋部
Ｂ２……側部
Ｂ３……底部
ｃＰ……透明ポケット
ｉＰ……内ポケット
１００……簡易型宅配ボックス
ｈ……引手
ｓｌ……スライダー
Ｆ……ファスナー
Ｎ……南京錠
ｔ……ツル（南京錠のツル、ダイヤル鍵のツル）
Ｈ……貫通孔（引手ｈの貫通孔、ワイヤー固定具ＷＦの貫通孔）
ｂｒ……軸受
ｆ……コの字形状の枠
ａｘ……軸
ｚｔ……務歯
Ｔ……テープ
ｒ……輪っか
ｗ……ワイヤー
ＷＦ……ワイヤー固定具
Ｄ……ダイヤル鍵
【図１】
0003213859.tif 000003
【図２】
0003213859.tif 000004
【図３】
0003213859.tif 000005
【図４】
0003213859.tif 000006
【図５】
0003213859.tif 000007
【図６】
0003213859.tif 000008
【図７】
0003213859.tif 000009
【図８】
0003213859.tif 000010
【図９】
0003213859.tif 000011
【図１０】
0003213859.tif 000012
【図１１】
0003213859.tif 000013
【図１２】
0003213859.tif 000014
【図１３】
0003213859.tif 000015
【図１４】
0003213859.tif 000016
【図１５】
0003213859.tif 000017
【図１６】
0003213859.tif 000018
【図１７】
0003213859.tif 000019
【図１８】
0003213859.tif 000020
【図１９】
0003213859.tif 000021
【図２０】
0003213859.tif 000022
【図２１】
0003213859.tif 000023
【図２２】
0003213859.tif 000024
【図２３】
0003213859.tif 000025